(57)【要約】【課題】広くない居住空間の改善と、掃除後の塵埃を捨てるという煩わしさを解決するとともに、これからの高齢化社会において塵埃廃棄サービスとして、利便性を提供することを目的としている。【解決手段】２０は掃除機の本体、２１は吸い込み具であり、床用ノズル、延長管、ホース等があげられる。２３は居住空間３４に設けられた接続口であり、吸い込み具２１が着脱自在に取り付けられる。　２２は配管であり、複数個の接続口２４と掃除機２０の吸気口３２とを連通させる。塵埃２８が捕集された集塵室２５は居住空間３４の外にあるため、清掃業者や住宅の管理者等によって、居住者の生活を妨害することなく定期的に塵埃２８を廃棄処理することが容易に出来る。【選択図】　図１
2004089247.tif 000002
【特許請求の範囲】
【請求項１】
住宅の各戸外に塵埃の取出し口を持つ掃除機を設け、前記塵埃は清掃業者や住宅の管理者等によって定期的に廃棄処理される掃除システム。
【請求項２】
吸込み掃除用具を着脱自在に取り付けるために住宅の各戸の居住空間に設けられた接続口と、吸気口を有し塵埃を補集するための集塵室と前記集塵室と連通し吸引を行う送風機を設けた掃除機は、前記接続口と前記吸気口とを連通する配管により複数の吸気口と連通してなる掃除システム。
【請求項３】
掃除機本体は集合住宅の各フロアーに取り付けられてなる請求項２項記載の掃除システム。
【請求項４】
掃除機本体は各集合住宅に取り付けられてなる請求項２項記載の掃除システム。
【請求項５】
吸気と共に塵埃を吸引するバイパス式送風機と塵埃と共に排気を排出するための排出口とを有した掃除機本体と、前記掃除機本体に接続口を介し着脱自在に取り付けられる吸込み掃除用具とを住宅の各戸に設け、受入口を持ち塵埃を補集するための集塵室は、前記受入口と前記排出口とを連通する流路により複数の排出口に連通してなる掃除システム。
【請求項６】
吸気と共に塵埃を吸引する送風機と、前記送風機に連通した吸気室で塵埃を含む吸気はフィルター等によって排気と塵埃に分けられ、排気は前記送風機と連通した排気管によって屋外に排出され、塵埃は前記吸気室に設けられた排出管により排出される掃除機本体と、前記吸気室に接続口を介し着脱自在に取り付けられる吸込み掃除用具とを住宅の各戸に設け、受入口を持ち塵埃を補集するための集塵室は、前記受入口と前記排出口とを連通する流路により複数の排出口に連通してなる掃除システム。
【請求項７】
集塵室は集合住宅の各フロアーに取り付けられてなる請求項５または６記載の掃除システム。
【請求項８】
集塵室は各集合住宅に取り付けられてなる請求項５または６記載の掃除システム。
【請求項９】
集塵室は開口自在の集塵室蓋を持ち、前記集塵室内に受入口と連通し塵埃を補集するための着脱自在の集塵袋を設けた請求項５〜８のいずれか１項に記載の掃除システム。
【請求項１０】
集塵室内の塵埃は清掃業者または住宅の管理者等によって定期的に廃棄処理される請求項２から９のいずれか１項に記載の掃除システム。
【請求項１１】
集塵室内に塵埃の堆積量を検出するためのセンサーと、センサーに対応した表示部とを備え、前記塵埃の堆積量は清掃業者または住宅の管理者等によってモニター監視され、一定堆積量を超えた前記集塵室内の塵埃は清掃業者または住宅の管理者等によって廃棄処理される請求項１〜９のいずれか１項に記載の掃除システム。
【請求項１２】
集塵室内に塵埃の堆積量を検出するためのセンサーを設け、前記センサーはモデム等によって電話回線等の通信回線につながれ、塵埃の堆積量は清掃業者または複数個の住宅を管理する管理者等によって一括モニター監視され、一定堆積量を超えた集塵室内の塵埃は清掃業者または住宅の管理者等によって廃棄処理される請求項１〜１１のいずれか１項に記載の掃除システム。
【請求項１３】
掃除機の通電時間をモニターし塵埃の廃棄処理費として料金加算される請求項１〜１２のいずれか１項に記載の掃除システム。
【請求項１４】
塵埃の廃棄回数により塵埃の廃棄処理費として料金加算される請求項１〜１１のいずれか１項に記載の掃除システム。
【請求項１５】
掃除機を購入時もしくは購人後に、塵埃の廃棄処理、各戸の端末による費用確認、掃除機のメンテナンス等のサービスを購入、変更できる請求項１項記載の掃除システム。
【請求項１６】
塵埃の廃棄処理、掃除機のメンテナンス等のサービスは集合住宅の共用費として請求される請求項１〜１５のいずれか１項に記載の掃除システム。
【発明の詳細な説明】
【０００１】
【発明の属する技術分野】
本発明は、掃除システムに関するもので、特にセントラルクリーナーの用途を拡大するものである。
【０００２】
【従来の技術】
住宅の新築や改築にあたり、掃除の利便性、掃除機の排気が屋外に排出できる等の清潔感や居住性を考慮し、セントラルクリーナーを設置する家屋が増えている。
【０００３】
従来のセントラルクリーナーを、図６、７を用いて説明する。
【０００４】
図６は従来のセントラルクリーナーの構成図であり、１は掃除機の本体、２は吸い込み具であり、床用ノズル、延長管、ホース等があげられる。４は各居住空間に設けられた接続口であり、吸い込み具２が着脱自在に取り付けられる。３は配管であり、複数個の接続口４と掃除機１の吸気口１２とを連通させる。この前記ユニット６によって家屋に取り付けられる。
【０００５】
図７は従来の掃除機の断面図であり、送風機７によって吸気と共に吸引された塵埃１１は吸気口１２を通り、集塵室１３に設けられた集塵袋１０で捕集される。さらに吸気はフィルター８によって細塵を取り除かれ排気口５より屋外に排出される。塵埃の堆積した集塵袋１０は着脱自在の集塵室蓋９より取出し可能である。
【０００６】
【発明が解決しようとする課題】
このような従来の掃除システムにあっては、セントラルクリーナーを設置しても居住空間の掃除によって集塵室内に堆積じた塵埃は各戸に廃棄の必要があり、利便性にかける。
【０００７】
本発明は上記課題を解決するもので、広くない居住空間の改善と、掃除後の塵埃を捨てるという煩わしさを解決するとともに、これからの高齢化社会において塵埃廃棄サービスとして、利便性を提供することを目的としている。
【０００８】
【課題を解決するための手段】
上記目的を達成するために本発明は、住宅の各戸外に塵埃の取出し口を持つ掃除機を設け、前記塵埃は清掃業者や住宅の管理者等によって定期的に廃棄処理される掃除システムとしたので、掃除後の塵埃を廃棄するという作業が必要ない。
【０００９】
【発明の実施の形態】
本発明の請求項１記載の発明は、住宅の各戸外に塵埃の取出し口を持つ掃除機を設け、前記塵埃は清掃業者や住宅の管理者等によって定期的に廃棄処理される掃除システとしたので、各戸の住人が居住空間の掃除後の塵埃を廃棄する作業の必要がない。
【００１０】
本発明の請求項２記載の発明は、吸込み掃除用具を着脱自在に取り付けるために住宅の各戸の居住空間に設けられた接続口と、吸気口を有し塵埃を補集するための集塵室と前記集塵室と連通し吸引を行う送風機を設けた掃除機は、前記接続口と前記吸気口とを連通する配管により複数の吸気口と連通してなる掃除システムとしたので、集合住宅等において掃除機を各戸の居住区間に置く必要がない。
【００１１】
本発明の請求項３記載の発明は、掃除機本体は集合住宅の各フロアーに取り付けられてなる請求項２項記載の掃除システムとしたので、集合住宅におけるセントラルクリーナーの配管を簡素化できる。
【００１２】
本発明の請求項４記載の発明は、掃除機本体は各集合住宅に取り付けられてなる請求項２項記載の掃除システムとしたので、塵埃を各集合住宅でまとめることが出来、塵埃の廃棄時作業を一括して行える。
【００１３】
本発明の請求項５記載の発明は、吸気と共に塵埃を吸引するバイパス式送風機と塵埃と共に排気を排出するための排出口とを有した掃除機本体と、前記掃除機本体に接続口を介し着脱自在に取り付けられる吸込み掃除用具とを住宅の各戸に設け、受入口を持ち塵埃を補集するための集塵室は、前記受入口と前記排出口とを連通する流路により複数の排出口に連通してなる掃除システムとしたので、各戸の使扁毎にひとつの大きな掃除機を運転する必要がない。
【００１４】
本発明の請求項６記載の発明は、吸気と共に塵埃を吸引する送風機と、前記送風機に連通した吸気室で塵埃を含む吸気はフィルター等によって排気と塵埃に分けられ、排気は前記送風機と連通した排気管によって戸外に排出され、塵埃は前記吸気室に設けられた排出管により排出される掃除機本体と、前記吸気室に接続口を介し着脱自在に取り付けられる吸込み掃除用具とを住宅の各戸に設け、受入口を持ち塵埃を補集するための集塵室は、前記受入口と前記排出口とを連通する流路により複数の排出口に連通してなる掃除システムとしたので、掃除機の送風機に塵埃が入らないため掃除機の耐久性が向上される。
【００１５】
本発明の請求項７記載の発明は、集塵室は集合住宅の各フロアーに取り付けられてなる請求項５項または６項のいずれか１記載の掃除システムとしたので、集合住宅におけるセントラルクリーナーの配管を簡素化できる。
【００１６】
本発明の請求項８記載の発明は、集塵室は各集合住宅に取り付けられてなる請求項５項または６項のいずれか１記載の掃除システムとしたので、塵埃を各集合住宅でまとめることが出来、塵埃の廃棄時の作業を一括して行える。
【００１７】
本発明の請求項９記載の発明は、集塵室は開口自在の集塵室蓋を持ち、前記集塵室内に受入口と連通し塵埃を補集するための着脱自在の集塵袋を設けた請求項５項から８項いずれか１項記載の掃除システムとしたので、塵埃の廃棄の作業が容易になる。
【００１８】
本発明の請求項１０記載の発明は、集塵室内の塵埃は清掃業者または住宅の管理者等によって定期的に廃棄処理される請求項２項から９項いずれか１項記載の掃除システムとしたので、各戸の住人が居住空間の掃除後の塵埃を廃棄する作業の必要がない。
【００１９】
本発明の請求項１１記載の発明は、集塵室内に塵埃の堆積量を検出するためのセンサーと、センサーに対応した表示部とを備え、前記塵埃の堆積量は清掃業者または住宅の管理者等によってモニター監視され、ー定堆積量を超えた前記集塵室内の塵埃は清掃業者または住宅の管理者等によって廃棄処理される請求項１項から１０項いずれか１項記載の掃除システムとしたので、塵埃の堆積量によって必要な時に塵埃の廃棄作業が出来る。
【００２０】
本発明の請求項１２記載の発明は、集塵室内に塵埃の堆積量を検出するためのセンサーを設け、前記センサーはモデム等によって電話回線等の通信回線につながれ、塵埃の堆積量は清掃業者または複数個の住宅を管理する管理者等によって一括モニター監視され、一定堆積量を超えた集塵室内の塵埃は清掃業者または住宅の管理者等によって廃棄処理される請求項１項から９項いずれか１項記載の掃除システムとしたので、清掃業者または複数個の住宅を管理する管理者等によって多くの住宅の塵埃排気処理をすることが出来る。
【００２１】
本発明の請求項１３記載の発明は、掃除機の通電時間をモニターし塵埃の廃棄処理費として料金加算される請求項１項から１２項いずれか１項記載の掃除システムとしたので、複数が共用の集塵室を使う時、各戸の使用時間に合わせた料金の請求が可能となる。
【００２２】
本発明の請求項１４記載の発明は、塵埃の廃棄回数により塵埃の廃棄処理費として料金加算される請求項１項から１１項いずれか１項記載の掃除システムとしたので、清掃業者または住宅の管理者等は複雑な料金徴収用の設備を設ける必要がない。
【００２３】
本発明の請求項１５記載の発明は、掃除機を購入時もしくは購人後に、塵埃の廃棄処理、各戸の端末による費用確認、掃除機のメンテナンス等のサービスを購入、変更できる請求項１項記載の掃除システムとしたので、セントラルクリーナーを設置直後から塵埃の廃棄作業の必要がなくなる。また、サービスの窓口が明確である。
【００２４】
本発明の請求項１６記載の発明は、塵埃の廃棄処理、掃除機のメンテナンス等のサービスは集合住宅の共用費として請求される請求項１項から１４項いずれか１項記載の掃除システムとしたので、塵埃廃棄費用の振込み等の作業がなくなる。
【００２５】
【実施例】
以下本発明の第１の実施例を、図１、図２を用いて説明する。
【００２６】
図１は第１の実施例のセントラルクリーナーの構成図であり、２０は掃除機の本体、２１は吸い込み具であり、床用ノズル、延長管、ホース等があげられる。２３は居住空間３４に設けられた接続口であり、吸い込み具２１が着脱自在に取り付けられる。２２は配管であり、複数個の接続口２４と掃除機２０の吸気口３２とを連通させる。１つの家屋もしくは１つの居住空間３４が複数個の接続口を持つことも可能であることは言うまでもない。
【００２７】
１つの掃除機２０に対し配管２２は同一フロアーの各戸の居住空間３４に設けられた複数個の接続口２３とを連通させることが出来る。つまり、集合住宅の同じフロアー各戸の居住区間３４に対して、１つの掃除機２０で吸い込み具２１より掃除吸引作業を行うことができる。また、１つの掃除機２０に対して配管２２は異なったフロアーの接続口２３とを連通することが出来るのは言うまでもなく、集合住宅全戸の接続口２３と掃除機２０とを連通させることも出来る。
【００２８】
塵埃２８が捕集された集塵室２５は居住空間３４の外にあるため、清掃業者や住宅の管理者等によって、居住者の生活を妨害することなく定期的に塵埃２８を廃棄処理することが容易に出来る。
【００２９】
図７は第１の実施例の掃除機の断面図であり、送風機２４によって吸気と共に吸引された塵埃２８は吸気口３２を通り、集塵室２５に設けられた集塵袋２７で捕集される。さらに吸気はフィルター等によって細塵を取り除かれ排気口３３より屋外に排出される。塵埃２８の堆積した集塵袋２７は集塵室２５の開口自在の集塵室蓋２６より取出し可能である。
【００３０】
集塵室２５内に塵埃２８の堆積量を検出するためのセンサー２９と、センサー２９に対応した表示部３１とを備え、塵埃２８の堆積量は清掃業者または住宅の管理者等によってモニター監視され、一定堆積量を超えた集塵室２５内の塵埃２８は清掃業者または住宅の管理者によって廃棄される。また表示部３１は通信回線３０に接続され清掃業者または住宅の管理者によって集中的に管理することも出来る。
【００３１】
上記のシステムにより、清掃業者または住宅の管理者は居住者の掃除時間、塵埃の量で廃棄費用を請求することができる。この費用は、共用費や管理費として一律に、また使用料毎に居住者から徴収することも出来る。単独の家屋では、セントラルクリーナーを購入時、または購入後、集合住宅の居住者は集合住宅の施設の施工によりこのシステムを活用することが出来る。
【００３２】
上記構成による作用は以下の通りである。
【００３３】
塵埃２８は清掃業者や住宅の管理者等によって定期的、もしくは塵埃２８の量によりに廃棄処理されるので、各戸の住人が居住空間の掃除後の塵埃２８を廃棄する作業の必要がない。また、塵埃２８に触れることもなく清潔である。
【００３４】
以下本発明の第２の実施例を、図３、４を用いて説明する。なお、上記実施例と同一の部品については同一符号を付してその説明を省略する。
【００３５】
吸気と共に塵埃を吸引するバイパス式送風機４０と塵埃と共に排気を排出するための排出口４１とを有した掃除機本体４７と、掃除機本体４７に接続口２３を介し着脱自在に取り付けられる吸込み掃除用具２１とを各戸に設け、受入口４２を持ち塵埃２８を補集するための集塵室２５は、受入口４２と排出口４１とを連通する流路３３により複数の排出口４１に連通している。また、吸込み掃除用具２１は直接掃除機本体４７に取り付けることも可能である。
【００３６】
上記構成による作用は以下の通りである。
【００３７】
各戸の使用毎にひとつの大きな掃除機を運転する必要がないので使用エネルギーを削減でき、また掃除機本体の故障等の問題が各戸に影響を与えない。大きな掃除機本体を使用する必要がないのでセントラルクリーナーとしてのシステムが簡単になり安価に提供できる。
【００３８】
以下本発明の第３の実施例を、図３、５を用いて説明する。なお、上記実施例と同一の部品については同一符号を付してその説明を省略する。
【００３９】
各戸、もしくは各居住空間６０に設置される掃除機４７の構成は、吸気と共に塵埃を吸引する送風機２４と、送風機２４に連通した吸気室４８で塵埃を含む吸気はフィルター４５によって排気と塵埃に分けられ、排気は送風機２４と連通した排気管４６によって屋外に排出され、塵埃は吸気室４８に設けられた排出管４１により排出される。吸気室４８に接続口２３を介し着脱自在に取り付けられる吸込み掃除用具２１とを住宅の各戸に設け、受入口４２を持ち塵埃２８を補集するための集塵室２５は、受入口４２と排出口４１とを連通する流路３３により複数の排出口４１に連通してなる。
【００４０】
上記構成による作用は以下の通りである。
【００４１】
掃除機２４の送風機に塵埃が入らないため掃除機の耐久性が向上されるので、長期の使用が可能であり経済的に安価となる。
【００４２】
【発明の効果】
本発明によれば、広くない居住空間の改善と、掃除後の塵埃を捨てるという煩わしさを解決するとともに、これからの高齢化社会において塵埃廃棄サービスとして、利便性を提供できる。
【図面の簡単な説明】
【図１】本発明の第１の実施例を示すセントラルクリーナーの構成図
【図２】同掃除機の断面図
【図３】本発明の第２、３実施例を示すセントラルクリーナーの構成図
【図４】本発明の第２の実施例を示す掃除機の断面図
【図５】本発明の第３の実施例を示す掃除機の断面図
【図６】従来のセントラルクリーナーの構成図
【図７】同セントラルクリーナーの断面図
【符号の説明】
２０　掃除機
２１　吸い込み掃除用具
２２　配管
２３　接続口
２４　送風機
２５　集塵室
２６　集塵室蓋
２７　集塵袋
２８　塵埃
２９　センサー
３０　通信回線
３１　表示部
３２　吸気口
４０　バイパス式送風機
４１　排出口
４２　受入□
４３　流路
４４　吸気室
４５　フィルター
４６　排気管
４７　掃除機本体
【図１】
2004089247.tif 000003
【図２】
2004089247.tif 000004
【図３】
2004089247.tif 000005
【図４】
2004089247.tif 000006
【図５】
2004089247.tif 000007
【図６】
2004089247.tif 000008
【図７】
2004089247.tif 000009